(57)【特許請求の範囲】
【請求項１】
略円盤状をした外形の本体部の上面に設けられ引っ掛けシーリングに係止自在とする係止爪と、本体部の外周面部に設けられ本体部を照明器具本体の挿入孔に挿入した状態で照明器具本体の係合部へ係止する出没自在な爪状の１対の係止部と、係止部の照明器具本体の係合部への係止を解除するように水平面内操作される本体部に設けられた一対の解除操作部と、本体部の下部に設けられ給電用の照明器具側コネクタを接続する取付け装置側コネクタと、を備えた照明器具の取付け装置において、前記取付け装置側コネクタの外殻を構成する角筒部の一側面に照明器具側コネクタの一部が下方から挿入されるロック溝部を設けるとともに、ロック溝部にスライド自在となるガイド部を解除操作部と一体に設け、両コネクタが接続された状態では、照明器具側コネクタの一部にガイド部が当接して解除操作部の解除操作が防止され、係止部の係合部への係止が不完全な状態では、ロック溝部の一部がガイド部により塞がれて照明器具側コネクタの接続が不可能になることを特徴とする照明器具の取付け装置。
【請求項２】
請求項１記載の照明器具の取付け装置と、この照明器具の取付け装置の本体部を挿入する挿入孔と照明器具の取付け装置の係止部が係止される係合部とを設けた照明器具本体とを有する照明器具と、を備えてなることを特徴とする照明装置。
【発明の詳細な説明】
【０００１】
【発明の属する技術分野】
本発明は、照明器具を引っ掛けシーリングに取付けるための照明器具の取付け装置、およびそれを備えた照明装置に関するものである。
【０００２】
【従来の技術】
照明器具を引っ掛けシーリングに取付けるための照明器具の取付け装置としては、例えば、実開平５ー９０７２６号公報（以下、第１の従来例と称す）、特開平７−３７４１７号公報（以下、第２の従来例と称す）、及び実開平７−１１７１２号公報（以下、第３の従来例と称す）に記載のものが知られている。この第１の従来例は、取付け装置が、取付け装置の主体を構成する本体部の上面に引っ掛けシーリングに係止自在とする係止爪を設け、この本体部の外周面部に係止部を横方向に移動自在で且つ本体部の外周面部から出没自在に設け、更に、本体部に係止部を引き込ませるための操作を行う上下方向に移動自在な操作釦を設けて構成してある。そして、天井に取付けた引っ掛けシーリングに取付け装置に設けた係止爪を引っ掛け係止し、この状態で、取付け装置の本体部に照明器具本体の挿入孔を被嵌すると共に、照明器具本体の係合孔に本体部より突出した係止部を係止するようにしている。また、第１の従来例にあっては、電気的接続手段を本体部の外周面部に設けていた。
【０００３】
一方、照明器具本体を取り外すに当たっては、操作釦を上方に押して、係止部を係合孔から抜き、その後、照明器具本体を下方に引き下ろすことにより取り外すようにしていた。
【０００４】
【発明が解決しようとする課題】
ところが、上記第１の従来例にあっては、１つの操作釦で２つの係止部が動作するようにしているので、１つの操作釦を操作するための操作力が高くなる可能性が大きく、一方の係止部が動作不良であっても、わかりにくく、照明器具本体の中途半端な取付けが生じ、照明器具本体が落下してしまう可能性があった。また、電気的接続手段と機械的係止手段が各々独立して設けられており、照明器具本体の取付が中途半端な状態でも照明器具への給電が可能で照明を点灯させることができるため、照明器具本体の取付が中途半端な状態で使用し点灯中に照明器具が落下してしまう可能性があった。
【０００５】
また、第２の従来例は、電気的接続手段を構成する照明器具側コネクタを取付け装置に接続するものであるが、この第２の従来例においても電気的接続手段と機械的係止手段が各々独立して設けられているので、照明器具本体の取付けが中途半端な状態で照明器具が使用されてしまう可能性があった。
また、第３の従来例は、照明器具に接続される給電用コネクタ付きのコードが取付け装置から導出されているが、この第３の従来例においても照明器具本体の取付けが中途半端な状態で照明器具が使用される可能性があった。
【０００６】
本発明は上記事由に鑑みて為されたものであり、その目的は、照明器具本体の中途半端な取付け状態での照明器具への給電を防止するとともに照明器具本体の取付けが確実にできる照明器具の取付け装置およびそれを備えた照明装置を提供することにある。
【０００７】
【課題を解決するための手段】
請求項１の発明は、上記目的を達成するために、略円盤状をした外形の本体部の上面に設けられ引っ掛けシーリングに係止自在とする係止爪と、本体部の外周面部に設けられ本体部を照明器具本体の挿入孔に挿入した状態で照明器具本体の係合部へ係止する出没自在な爪状の１対の係止部と、係止部の照明器具本体の係合部への係止を解除するように水平面内操作される本体部に設けられた一対の解除操作部と、本体部の下部に設けられ給電用の照明器具側コネクタを接続する取付け装置側コネクタと、を備えた照明器具の取付け装置において、前記取付け装置側コネクタの外殻を構成する角筒部の一側面に照明器具側コネクタの一部が下方から挿入されるロック溝部を設けるとともに、ロック溝部にスライド自在となるガイド部を解除操作部と一体に設け、両コネクタが接続された状態では、照明器具側コネクタの一部にガイド部が当接して解除操作部の解除操作が防止され、係止部の係合部への係止が不完全な状態では、ロック溝部の一部がガイド部により塞がれて照明器具側コネクタの接続が不可能になることを特徴とするものであり、取付け装置側コネクタに照明器具側コネクタを接続した状態では解除操作が防止されることにより、解除操作部を誤って触ったり、振動や衝撃がかかったりした時の照明器具の落下を防止することができ、また、係止部の係合部への係止が不完全な状態では照明器具側コネクタの接続が不可能になることにより、本体部の係止部が照明器具本体の係合部へ係合していない状態では照明器具側コネクタを取付け装置側コネクタに接続することができないので、照明器具への給電を防止することができ、中途半端な状態での照明器具の使用を未然に防ぐことができ安全性が向上する。
【０００８】
請求項２の発明は、請求項１記載の照明器具の取付け装置と、この照明器具の取付け装置の本体部を挿入する挿入孔と照明器具の取付け装置の係止部が係止される係合部とを設けた照明器具本体とを有する照明器具と、を備えてなることを特徴とするものであり、取付け装置側コネクタに照明器具側コネクタを接続した状態では解除操作が防止されることにより、解除操作部を誤って触ったり、振動や衝撃がかかったりした時の照明器具の落下を防止することができ、また、係止部の係合部への係止が不完全な状態では照明器具側コネクタの接続が不可能になることにより、本体部の係止部が照明器具本体の係合部へ係合していない状態では照明器具側コネクタを取付け装置側コネクタに接続することができないので、照明器具への給電を防止することができ、中途半端な状態での照明器具の使用を未然に防ぐことができ安全性が向上する。
【０００９】
【発明の実施の形態】
本発明を以下添付図面に示す実施形態に基づいて説明する。
本体部１は略円盤状をしており、本体部１の上面部には下方に向けて凹設した凹部１１が形成してあり、本体部１の下端部は全面が開口している。上記本体部１の上面部に凹設した凹部１１の下面部から下方に水平断面長方形状をした角筒部９ｃが下方に向けて垂設してある。凹部１１の底部の上面には係止爪３とコネクタ電極９ａとを有する一対の端子板ブロック１２が取付けねじ１３により取付けてある。そして、一対の端子板ブロック１２に設けた一対の係止爪３が本体部１の上面部から上方に突出している。また、一対の端子板ブロック１２に設けた一対のコネクタ電極９ａが角筒部９ｃ内に挿入してあって、このように角筒部９ｃ内に一対のコネクタ電極９ａを内装することで取付け装置側コネクタ９が構成してある。平面視長方形状の角筒部９ｃの長辺方向と平行な方向の一側面にはロック溝部９ｄが設けてあり、このロック溝部９ｄの下端は角筒部９ｃの下端よりも上方に位置しており、また、ロック溝部９ｄの内部にはロック部９ｅが角筒部９ｃの側面へ向かう方向に突設してある。
【００１０】
略円盤状をした本体部１の外周面部には一対の孔１４が形成してあり、この一対の孔１４の位置関係は略円盤状をした本体部１の中心を回転中心とする１８０°回転対称となる位置関係にある。
係止部７は水平板状をしており、この係止部７の先端部は本体部１の外周面部の円弧と略同じ曲率半径の円弧となっている。水平板状をした係止部７の後端部の一側端部には下方に向けて突出した下向き片１５が突設してあり、下向き片１５の下端部から背方に向けて略Ｌ字状をした連結片１７が水平に連出してあり、連結片１７の一片部に縦板状をした解除操作部８の上端部の一側部が連設してあって、移動体１８が構成してある。したがって、連結片１７及び解除操作部８の上端は水平板状をした係止部７よりも下方に位置している。移動体１８の係止部７の後端部の中央部には２条のガイド部１０が解除操作部８側に向けて突出してある。この２条のガイド部１０の突出基部は下方にむけて突出した段落ち片１０ａとなっており、ガイド部１０の先端部は連結片１７と同じレベルとなっている。そして、上記２条のガイド部１０間がばね材収納部２０となっている。また、係止部７には２つの長孔１９が設けてある。なお、解除操作部８にはカバー８’が取着される。
【００１１】
本体部１の内部には２個で一組となった支持軸部２１が２組設けてあり、一組の支持軸部２１に一方の移動体１８の２個の長孔１９をスライド自在に嵌め込み、他の一組の支持軸部２１に他方の移動体１８の２個の長孔１９をスライド自在に嵌め込んである。ここで、２個の移動体１８は水平面で１８０°回転した状態となっている。そして、一方の移動体１８の係止部７が本体部１の外周面部の対向部分に設けた一対の孔１４のうちの一方の孔１４から出没自在となっており、他方の移動体１８の係止部７が他方の孔１４から出没自在となっている。また、移動体１８に設けた２条のガイド部１０は取付け装置側コネクタ９の外殻を構成する平面視長方形状の角筒部９ｃの長辺側の側面にスライド自在に嵌まり込んでいる。そして、移動体１８の２条のガイド部１０間に形成されたばね材収納部２０にコイルスプリング２３が配設してあり、該コイルスプリング２３の両端部がそれぞれ移動体１８と角筒部９ｃの短辺側の面とに弾接してあって、コイルスプリング２３のばね力により係止部７が孔１４から外側に突出している。この状態が図３乃至図６に示す状態であって、ガイド部１０の先端部が平面視長方形状の角筒部９ｃの長辺側の側面の両端部近くまで移動し、両移動体１８のガイド部１０間にロック溝部９ｄが露出した状態となっている（図７参照）。また、下方に突出している両側の解除操作部８をコイルスプリング２３に抗して互いに遠ざける方向に移動させるとガイド部１０の先端部同士が突き当たるようになっており、この状態で係止部７は本体部１の外周面部から内側に引き込むものである。また、ガイド部１０の先端部同士が突き当たった状態では上記ロック溝部９ｄがガイド部１０により塞がれることになる。
【００１２】
本体部１の下面開口部には補強板を兼用した蓋３０が取付けねじ３１により取付けてあり、該蓋３０には一対の孔３２が設けてあって、一対の移動体１８にそれぞれ設けた下方に垂下した一対の解除操作部８が上記一対の孔３２にスライド自在に挿通してある。また、蓋３０の中央部には中央孔３３が設けてあって、該中央孔３３に取付け装置側コネクタ９の下端部及びロック溝部９ｄの下端部が対向している。ここで、取付け装置側コネクタ９の下端部は中央孔３３にはまり込んでいる。
【００１３】
本体部１には更にロック部材２５が本体部１の上面部より出没自在に取付けてある。該ロック部材２５はばね２６により上方に突出するばね力が付与してあり、該ばね力によりロック部材２５が本体部１の上面部より上方に突出している。
本体部１の周面部の下端部には操作窓部３４が設けてあり、蓋３０には操作窓部３４に対向して切欠部３５が設けてある。切欠部３５内には操作釦２７の操作部３６が移動自在に配置してあり、操作部３６の先端部の溝部３７が蓋３０の切欠部３５の奥の部位にスライド自在に嵌まり込んでいる。操作釦２７には傾斜したカム部３８が設けてあり、カム部３８にロック部材２５の下端部の当たり部３９がばね２６のばね力により弾接している。したがって、通常はばね２６のばね力により当たり部３９が上方に押し上げられ、これにより操作部３６が図８（ａ）のように本体部１の周面部の内面に当接している。この状態はロック部材２５の上端部が本体部１の上面部よりも上方に突出した状態に設定してある。一方、操作窓３４から指を入れて操作部３６を押すと、当たり部３９がばね２６に抗してカム部３８により下方に押し下げられ、これによりロック部材２５の上端部が本体部１の上面部よりも下方に引き込むように設定してある（図８（ｂ）参照）。
【００１４】
以上が本発明に係る取付け装置Ａの構成である。
一方、照明器具４０は図９に示すように照明器具本体４に、ランプ４１、器具点灯ブロック４２を装備して構成してあり、照明器具本体４の上面部中央部には挿入孔５が設けてあり、該挿入孔５の縁部に円筒状をしたホルダー４３が設けてあり、ホルダー４３の内周面部に溝が設けてあって、該溝が係合部６を構成している。
【００１５】
天井４４には引っ掛けシーリング２が取付けてあり、引っ掛けシーリング２の下面部には一対の円弧状をした係止孔２ａが設けてあり、係止孔２ａの一端部は巾広孔部２ｂとなっている。
しかして、照明器具４０を天井４４に取付けるには、まず、天井４４に取付けた引っ掛けシーリング２に前述の取付け装置Ａを取付けるものである。取付け装置Ａの取付けに当たっては、まず、本体部１に設けた一対の端子板ブロック１２の係止爪３を係止孔２ａに挿入係止する。この場合、係止爪３は巾広孔部２ｂから挿入して円弧状をした係止孔２ａの他端部まで移動させて機械的、電気的に引っ掛けシーリング２に取付け装置Ａを取付けるのであるが、この状態で、係止爪３が巾広孔部２ｂに位置している状態では引っ掛けシーリング２の下面に押しつけられて弾接していたロック部材２５の先端部が係止爪３が円弧状をした係止孔２ａの他端部に到った状態で、係止孔２ａの一部（実施形態では巾広孔部２ｂ）内に嵌め込まれて、ロック部材２５を下降させない限り、つまり、操作釦２６を操作しない限り、取付け装置Ａが引っ掛けシーリング２から取り外せないようになっている。
【００１６】
次に、照明器具本体４を手に持って挿入孔５（つまり円筒状のホルダー４３）を取付け装置Ａの円盤状をした本体部１に下方より嵌め込むものである。ここで、本体部１の周面部の対向する位置から一対の移動体１８の係止部７がそれぞれコイルスプリング２３のばね力により外側方に突出しているので、ホルダー４３の嵌め込みにより係止部７がコイルスプリング２３のばね力に抗して内側に押し込まれ、係合部６と係止部７とが対向した時点で、コイルスプリング２３のばね力により係止部７が係合部６に弾性的に係止し、これにより照明器具本体４が引っ掛けシーリング２に取付けた取付け装置Ａに取付けられることになる。
【００１７】
このように取付け装置Ａに照明器具４０が取付けられた状態では、取付け装置Ａの本体部１に設けた係止部７がコイルスプリング２３のばね力により外側に飛び出す方向に移動体１８が移動しているので、既に述べたように、照明器具４０が正常に取り付けられていれば図１０に示すようにロック溝部９ｄが両移動体１８のガイド部１０により塞がれないで開放した状態となっている。したがって、取付け装置Ａに照明器具４０を正常に取付けた状態では、図１１乃至図１３のように照明器具４０から導出されたコード５０の一端に設けられた照明器具側コネクタ４９を取付け装置側コネクタ９に嵌め込む（一対のさし込み部４９ｃ，４９ｃを角筒部９ｃに差込む）と共に照明器具側コネクタ４９に設けたロック受け片４９ａをロック溝部９ｄに嵌め込んでロック受け片４９ａに設けたロック部受け穴４９ｂがロック部９ｅに係止することができるようになっており、照明器具４０が電気的に接続され給電がされるようになっている。ここで、照明器具側コネクタ４９には、後述のコネクタ取外し操作部４９ｄが設けてあるが、取付け装置側コネクタ９に照明器具側コネクタ４９が接続された状態ではコネクタ取外し操作部４９ｄが本体部１の下面より本体部１の内方に位置するので、照明器具側コネクタ４９が取付け装置側コネクタ９から不用意に取り外されるのを防止できる。
これに対し、例えば図１４のように一方の係止部７が係合部６に係止していない場合、つまり、照明器具が中途半端に取付けられている場合（係止部７の係合部６への係止が不完全な状態の場合）には、ロック溝部９ｄの一部が移動体１８のガイド部１０により塞がれた状態となっているので、照明器具側コネクタ４９を取付け装置側コネクタ９に接続しようとしても、ガイド部１０が邪魔になって接続することができない（図１５参照）。
【００１８】
一方、照明器具４０の取り外しに当たっては、以下のようにして行うものである。すなわち、まず、照明器具側コネクタ４９に設けたコネクタ取外し操作部４９ｄを図１２の矢印の方向へ押してロック受け片４９ａとロック部９ｅとのロックを解除して照明器具側コネクタ４９を取付け装置側コネクタ９から取り外す。次に、図１６のように両手４８を照明器具本体４の上面部の下面に当て、親指４８ａを除く他の４本の指４８ｂで照明器具本体４を支え、この状態で両方の手４８の親指４８ａをそれぞれ取付け装置Ａの本体部１の下面から下方に垂下している一対の移動体１８に設けた解除操作部８に当て、この状態で両親指４８ａを図１６の矢印方向に移動させることで、両移動体１８が移動して係止部７が内側に移動して係合部６から離脱するので（図１７参照）、そのまま、両手４８で照明器具本体４を下方に引き下ろすことで、取り外すことができるものである。
【００１９】
しかして、本実施形態では、照明器具側コネクタ４９が取付け装置側コネクタ９に接続された状態では解除操作部８の解除操作が防止されるとともに係止部７の係合部６への係止が不完全な状態では照明器具側コネクタ４９の接続が不可能になるように取付け装置側コネクタと解除操作部とを配置してあるので、取付け装置側コネクタ９に照明器具側コネクタ４９を接続した状態では解除操作が防止されることにより、解除操作部８を誤って触ったり、振動や衝撃がかかったりした時の照明器具４０の落下を防止することができる。また、本体部１の係止部７が照明器具本体４０の係合部６へ係合していない状態では照明器具側コネクタ４９を取付け装置側コネクタ９に接続することができないから、照明器具４０への給電を防止することができ、中途半端な状態での照明器具４０の使用を未然に防ぐことができ安全性が向上する。
【００２０】
【発明の効果】
請求項１の発明は、略円盤状をした外形の本体部の上面に設けられ引っ掛けシーリングに係止自在とする係止爪と、本体部の外周面部に設けられ本体部を照明器具本体の挿入孔に挿入した状態で照明器具本体の係合部へ係止する出没自在な爪状の１対の係止部と、係止部の照明器具本体の係合部への係止を解除するように水平面内操作される本体部に設けられた一対の解除操作部と、本体部の下部に設けられ給電用の照明器具側コネクタを接続する取付け装置側コネクタと、を備えた照明器具の取付け装置において、前記取付け装置側コネクタの外殻を構成する角筒部の一側面に照明器具側コネクタの一部が下方から挿入されるロック溝部を設けるとともに、ロック溝部にスライド自在となるガイド部を解除操作部と一体に設け、両コネクタが接続された状態では、照明器具側コネクタの一部にガイド部が当接して解除操作部の解除操作が防止され、係止部の係合部への係止が不完全な状態では、ロック溝部の一部がガイド部により塞がれて照明器具側コネクタの接続が不可能になるので、取付け装置側コネクタに照明器具側コネクタを接続した状態では解除操作が防止されることにより、解除操作部を誤って触ったり、振動や衝撃がかかったりした時の照明器具の落下を防止することができるという効果があり、また、係止部の係合部への係止が不完全な状態では照明器具側コネクタの接続が不可能になることにより、本体部の係止部が照明器具本体の係合部へ係合していない状態では照明器具側コネクタを取付け装置側コネクタに接続することができないから、照明器具への給電を防止することができ、中途半端な状態での照明器具の使用を未然に防ぐことができ安全性が向上するという効果がある。
【００２１】
請求項２の発明は、請求項１記載の照明器具の取付け装置と、この照明器具の取付け装置の本体部を挿入する挿入孔と照明器具の取付け装置の係止部が係止される係合部とを設けた照明器具本体とを有する照明器具と、を備えてなることを特徴とするものであり、取付け装置側コネクタに照明器具側コネクタを接続した状態では解除操作が防止されることにより、解除操作部を誤って触ったり、振動や衝撃がかかったりした時の照明器具の落下を防止することができるという効果があり、また、係止部の係合部への係止が不完全な状態では照明器具側コネクタの接続が不可能になることにより、本体部の係止部が照明器具本体の係合部へ係合していない状態では照明器具側コネクタを取付け装置側コネクタに接続することができないので、照明器具への給電を防止することができ、中途半端な状態での照明器具の使用を未然に防ぐことができ安全性が向上するという効果がある。
【図面の簡単な説明】
【図１】実施形態における照明器具の取付け装置を示し、下方側から見た要部分解斜視図である。
【図２】同上の上方側から見た要部分解斜視図である。
【図３】同上の平面図である。
【図４】同上の下面図である。
【図５】同上の側面図である。
【図６】同上の正面図である。
【図７】同上の蓋を取り外した下面図である。
【図８】同上の要部の動作説明図である。
【図９】同上を備えた照明装置の説明図である。
【図１０】同上の下面図である。
【図１１】同上を示し、照明器具側コネクタを接続した状態での正面図である。
【図１２】図１１のＢ−Ｂ’断面図である。
【図１３】図１１の一部破断断面図である。
【図１４】同上を示し、（ａ）は照明器具の取付けが中途半端な場合の下面図、（ｂ）は正面図である。
【図１５】図１４（ａ）のＣ−Ｃ’断面図である。
【図１６】同上の照明器具の取外し方の説明図である。
【図１７】同上を示し、（ａ）は照明器具の取外し時の下面図、（ｂ）は正面図である。
【符号の説明】
１  本体部
５  挿入孔
７  係止部
８  解除操作部
９  取付け装置側コネクタ
９ｃ  角筒部
９ｄ  ロック溝部
１０  ガイド部
【図１】
0003563899.tif 000002
【図２】
0003563899.tif 000003
【図３】
0003563899.tif 000004
【図４】
0003563899.tif 000005
【図５】
0003563899.tif 000006
【図６】
0003563899.tif 000007
【図７】
0003563899.tif 000008
【図８】
0003563899.tif 000009
【図９】
0003563899.tif 000010
【図１０】
0003563899.tif 000011
【図１１】
0003563899.tif 000012
【図１２】
0003563899.tif 000013
【図１３】
0003563899.tif 000014
【図１４】
0003563899.tif 000015
【図１５】
0003563899.tif 000016
【図１６】
0003563899.tif 000017
【図１７】
0003563899.tif 000018